(57)【特許請求の範囲】
【請求項１】
水平周波数の異なる複数種類の映像信号を選択的に切り替えて出力可能とする映像再生装置において、
前記水平周波数の異なる複数種類の映像信号を選択的に切り替えて出力可能とする第１の操作手段と、
前記第１の操作手段で選択した映像信号よりも水平周波数の低い映像信号が存在する場合に、前記第１の操作手段で選択した映像信号を含めて、それよりも水平周波数の低い映像信号を選択的に切り替えて出力可能とする第２の操作手段とを具備したことを特徴とする映像再生装置。
【請求項２】
前記第１の操作手段は、該第１の操作手段で選択した映像信号よりも水平周波数の低い映像信号が存在しない場合には、前記第２の操作手段の操作を無効とすることを特徴とする請求項１記載の映像再生装置。
【請求項３】
前記第１の操作手段は、映像再生装置本体に設置されたスイッチであり、前記第２の操作手段は、前記映像再生装置本体を制御するためのリモートコントローラであることを特徴とする請求項１記載の映像再生装置。
【請求項４】
前記複数種類の映像信号は、インターレース方式の映像信号とプログレッシブ方式の映像信号であることを特徴とする請求項１記載の映像再生装置。
【請求項５】
映像再生装置本体に電源が投入された時点では、前記第１の操作手段によって選択されている映像信号が切り替え出力されることを特徴とする請求項１記載の映像再生装置。
【請求項６】
前記第１の操作手段が操作された場合には、現在の切り替え状態に無関係に、前記第１の操作手段によって選択された映像信号が切り替え出力されることを特徴とする請求項１記載の映像再生装置。
【請求項７】
水平周波数の異なる複数種類の映像信号を選択的に切り替えて出力可能とする映像再生方法において、
前記水平周波数の異なる複数種類の映像信号を、第１の操作手段により、選択的に切り替えて出力する第１の工程と、
前記第１の工程で選択した映像信号よりも水平周波数の低い映像信号が存在する場合に、第２の操作手段により、前記第１の操作手段で選択した映像信号を含めて、それよりも水平周波数の低い映像信号を選択的に切り替えて出力する第２の工程とを有することを特徴とする映像再生方法。
【請求項８】
前記第１の工程は、前記第１の操作手段で選択した映像信号よりも水平周波数の低い映像信号が存在しない場合には、前記第２の操作手段の操作を無効とすることを特徴とする請求項７記載の映像再生方法。
【請求項９】
前記第１の工程では、前記第１の操作手段として映像再生装置本体に設置されたスイッチを用い、前記第２の工程では、前記第２の操作手段として前記映像再生装置本体を制御するためのリモートコントローラを用いることを特徴とする請求項７記載の映像再生方法。
【請求項１０】
前記複数種類の映像信号は、インターレース方式の映像信号とプログレッシブ方式の映像信号であることを特徴とする請求項７記載の映像再生方法。
【請求項１１】
映像再生装置本体に電源が投入された時点では、前記第１の工程で選択した映像信号が切り替え出力されることを特徴とする請求項７記載の映像再生方法。
【請求項１２】
前記第１の操作手段が操作された場合には、現在の切り替え状態に無関係に、前記第１の操作手段によって選択された映像信号が切り替え出力されることを特徴とする請求項７記載の映像再生方法。
【発明の詳細な説明】
【０００１】
【発明の属する技術分野】
この発明は、水平周波数の異なる複数種類の映像信号を出力可能な映像再生装置及び映像再生方法の改良に関する。
【０００２】
【従来の技術】
周知のように、近年では、民生の映像機器として、ＤＶＤ（Ｄｉｇｉｔａｌ  Ｖｅｒｓａｔｉｌｅ  Ｄｉｓｋ）を再生するＤＶＤプレーヤが普及している。このＤＶＤでは、カラー映像信号をコンポーネントでデジタル記録している。
【０００３】
このため、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のコンポジット信号のように、輝度信号と色信号との間のクロスカラー及びドット妨害等は、原理的に生じない。これにより、多くのＤＶＤプレーヤでは、色差信号のコンポーネント出力端子を設けて、より高品質な映像を提供している。
【０００４】
ところで、現行テレビジョン方式では、少ない帯域で映像信号を送信するために、１枚の映像（フレーム）を、飛び飛びの走査線で２回に渡って描画（それぞれの描画像をフィールドという）する、インターレーススキャンと称される方式を採用している。
【０００５】
このインターレーススキャンでは、１フレームを描画するのに２フィールドを必要とする。それぞれのフィールドを描くタイミングは、１フィールド描画時間分ずれているので、そのタイミングずれがフリッカとなってちらついて見える。
【０００６】
また、テレビジョン受信機のＣＲＴ（Ｃａｔｈｏｄｅ  Ｒａｙ  Ｔｕｂｅ）等で映像表示した場合には、その同期回路や偏向回路等に生じる誤差で、２つのフィールドのそれぞれの走査線が相手側の走査線のちょうど中央に入らずに若干ずれてしまうペアリング現象が発生する等、画質の低下を招く種々の不都合が生じる。
【０００７】
上記のような不都合に対処するために、プログレッシブスキャンという方式が開発されている。このプログレッシブスキャンは、１フレームを１回で描画するため、上記した不都合の発生は防止できる。その反面、１フレームを１回で描画するため、走査線を倍の速さで描く必要があり、テレビジョン受信機の方もそれに対応可能なものが必要とされる。
【０００８】
ここで、民生機器であるＤＶＤプレーヤにおいて、多くの機種では、一般的なユーザから専門的な知識を持ったユーザまで、様々な知識階層のユーザを対象とする。このため、ＤＶＤプレーヤとしては、インターレース方式の映像信号と、プログレッシブ方式の映像信号とを両方出力できるものが望まれる。
【０００９】
この場合、各方式の映像信号をそれぞれ出力するための専用の出力端子を設けることは、ＤＶＤプレーヤの端子の取り付けスペース、コスト、テレビジョン受信機側の端子の都合（例えばインターレース／プログレッシブを共通の端子で入力している）等を考慮すると、好ましくない。
【００１０】
つまり、ＤＶＤプレーヤとしては、インターレース方式の映像信号と、プログレッシブ方式の映像信号とを、共通の出力端子からユーザが選択的に切り替えて出力できるものが望ましい。
【００１１】
ユーザが、インターレース方式対応の映像信号と、プログレッシブ方式対応の映像信号とを、共通の出力端子から選択的に出力させるための切り替え手段としては、リモートコントローラが利用し易い。
【００１２】
すなわち、ユーザが、リモートコントローラに設けられた切り替えキーを操作する毎に、共通の出力端子から、インターレース方式対応の映像信号と、プログレッシブ方式対応の映像信号とが交互に出力される。
【００１３】
なお、切り替え状態を不揮発性メモリに記憶しておけば、ＤＶＤプレーヤの電源を切り、再度投入した場合に、自動的に電源遮断前と同じ方式の映像信号を出力することができる。
【００１４】
ところで、リモートコントローラは、種々の操作に使用され、ＤＶＤプレーヤでは、キーの数も多いために、誤操作を招く危険性がある。例えば、ＤＶＤプレーヤに接続されているテレビジョン受信機がプログレッシブ方式対応のものであれば、リモートコントローラによってインターレース及びプログレッシブのいずれの方式を選択しても問題はないが、ＤＶＤプレーヤに接続されているテレビジョン受信機がインターレース方式対応のものであると、プログレッシブ方式の出力に切り替えた場合に映像が乱れる。
【００１５】
前述したように、ユーザには様々な知識階層の人がおり、特にインターレース方式対応のテレビジョン受信機を使用している一般ユーザの中には、インターレースやプログレッシブのような方式の種類があることを知らない人もいて、この場合、リモートコントローラの誤操作によりプログレッシブに切り替わってしまうと、映像が乱れて故障と間違える等の問題が生じる。
【００１６】
このような問題に対処するために、インターレースとプログレッシブとの切り替え手段として、２接点のスライドスイッチをＤＶＤプレーヤ本体の背面側に設置する手法が考えられている。この手法によれば、普段、スライドスイッチに触れる機会がないので、予めインターレース側に切り替えておけば、誤操作によりプログレッシブ側に切り替わるという問題は発生しなくなる。
【００１７】
ところが、この手法では、専門的な知識を持ったユーザが、能動的にインターレースとプログレッシブとの切り替えを行なう場合に、いちいちＤＶＤプレーヤ本体まで行ってスライドスイッチを操作する必要があり、切り替え操作が煩雑になるという問題が発生する。
【００１８】
そもそも、プログレッシブ方式は、元々存在しない走査線を作り出して表示するので、元の映像信号の状態や処理の仕方によっては見え方が変わり、常に、インターレースよりもプログレッシブの方が画質がよいとは限らない。このため、専門的なユーザは、インターレースとプログレッシブとを切り替えて見て画質の良い方を選択するという使い方をする。この場合、切り替えが不便になる。
【００１９】
【発明が解決しようとする課題】
そこで、この発明は上記事情を考慮してなされたもので、水平周波数の異なる複数種類の映像信号を共通の出力端子から選択的に出力させるための切り替え操作を行なう際に、誤操作が生じ難く、かつ、操作が煩雑にならないようにして、ユーザにとっての利便性を向上させるようにした極めて良好な映像再生装置及び映像再生方法を提供することを目的とする。
【００２０】
【課題を解決するための手段】
この発明に係る映像再生装置は、水平周波数の異なる複数種類の映像信号を選択的に切り替えて出力可能とするものを対象としている。そして、水平周波数の異なる複数種類の映像信号を選択的に切り替えて出力可能とする第１の操作手段と、第１の操作手段で選択した映像信号よりも水平周波数の低い映像信号が存在する場合に、第１の操作手段で選択した映像信号を含めて、それよりも水平周波数の低い映像信号を選択的に切り替えて出力可能とする第２の操作手段とを備えるようにしたものである。
【００２１】
また、この発明に係る映像再生方法は、水平周波数の異なる複数種類の映像信号を選択的に切り替えて出力する方法を対象としている。そして、水平周波数の異なる複数種類の映像信号を、第１の操作手段により、選択的に切り替えて出力する第１の工程と、第１の工程で選択した映像信号よりも水平周波数の低い映像信号が存在する場合に、第２の操作手段により、第１の操作手段で選択した映像信号を含めて、それよりも水平周波数の低い映像信号を選択的に切り替えて出力する第２の工程とを有するようにしたものである。
【００２２】
上記のような構成及び方法によれば、第１の操作手段で選択した映像信号よりも水平周波数の低い映像信号が存在する場合に、第２の操作手段により、第１の操作手段で選択した映像信号を含めて、それよりも水平周波数の低い映像信号を選択的に切り替えて出力可能とするようにしたので、水平周波数の異なる複数種類の映像信号を共通の出力端子から選択的に出力させるための切り替え操作を行なう際に、誤操作が生じ難く、かつ、操作が煩雑にならないようにして、ユーザにとっての利便性を向上させることができる。
【００２３】
【発明の実施の形態】
以下、この発明の実施の形態について図面を参照して詳細に説明する。図１において、符号１１はＤＶＤプレーヤである。このＤＶＤプレーヤ１１は、そのトレイ１２を介して装着されたＤＶＤ１３を再生することができる。
【００２４】
このＤＶＤプレーヤ１１は、ＤＶＤ１３を再生して得られた映像信号を、インターレース方式及びプログレッシブ方式のいずれかの形態で、共通の出力端子１４から選択的に切り替えて出力することができる。
【００２５】
この出力の切り替えは、詳細は後述するが、ＤＶＤプレーヤ１１本体の背面パネル１５に設置された２接点のスライドスイッチ１６と、リモートコントローラ（図１では図示せず）とによって行なわれる。
【００２６】
この出力端子１４から出力された映像信号は、ケーブル１７を介して、インターレース方式対応またはプログレッシブ方式対応のテレビジョン受信機１８に供給され、映像表示に供される。
【００２７】
図２は、上記ＤＶＤプレーヤ１１の詳細を示している。すなわち、ＤＶＤ１３は、ディスクモータ１９によって回転駆動される。また、ＤＶＤ１３は、その径方向に移動自在に設けられた光学式ピックアップ２０により、記録されているデータの読み取りが行なわれる。
【００２８】
このディスクモータ１９は、制御回路２１によって、その回転速度が制御されている。また、光学式ピックアップ２０も、制御回路２１によって、その径方向への送り系や各種サーボ系等の動作を含んだデータ読み取り動作が制御されている。
【００２９】
そして、上記光学式ピックアップ２０で読み取ったデータは、メイン回路２２を構成するデータ分離回路２３に供給されて、映像データ成分と音声データ成分とに分離され、映像データ成分が映像処理回路２４で映像信号に変換される。
【００３０】
この映像処理回路２４は、入力された映像データ成分をインターレース方式の映像信号に変換するインターレース変換回路２５と、入力された映像データ成分をプログレッシブ方式の映像信号に変換するプログレッシブ変換回路２６と、インターレース変換回路２５及びプログレッシブ変換回路２６から出力される映像信号を選択する切替回路２７とから構成されている。
【００３１】
そして、この切替回路２７で選択されたインターレース方式またはプログレッシブ方式の映像信号は、出力回路２８に供給されてテレビジョン受信機１８による映像表示に適した形態に変換され、出力端子１４に導かれる。
【００３２】
なお、上記映像処理回路２４のインターレース変換回路２５とプログレッシブ変換回路２６とは、マイクロコードというソフトウエアで構成されている場合が多く、この場合、映像処理回路２４の演算能力によっては、インターレース変換回路２５とプログレッシブ変換回路２６とを同時に動作させることが困難な場合もある。このような場合、切替回路２７は、インターレース変換回路２５とプログレッシブ変換回路２６とのいずれか一方のマイクロコードを選択して動作させることで、必要な方式の映像信号の選択を行なうことになる。
【００３３】
上記した一連の映像再生動作は、制御部２９を構成するＣＰＵ（Ｃｅｎｔｒａｌ  Ｐｒｏｓｅｃｃｉｎｇ  Ｕｎｉｔ）３０によって統括的に制御されている。すなわち、このＣＰＵ３０は、受信部３１を介して入力されるリモートコントローラ３２の操作情報に基づいて、上記制御回路２１、データ分離回路２３及び切替回路２７を制御している。また、このＣＰＵ３０は、上記スライドスイッチ１６の操作情報に基づいて、切替回路２７を制御している。
【００３４】
図３は、上記リモートコントローラ３２の外観を示している。このリモートコントローラ３２には、詳細な説明は省略するが、ＤＶＤプレーヤ１１を各種の動作状態または停止状態に制御するための様々なキーが設置されている。そして、上記ＣＰＵ３０は、このリモートコントローラ３２の切り替えキー３３の操作情報に基づいて、切替回路２７を制御している。
【００３５】
ここで、上記スライドスイッチ１６の操作情報と、リモートコントローラ３２の切り替えキー３３の操作情報とに基づいて、ＣＰＵ３０が行なう切替回路２７の制御について説明する。
【００３６】
まず、スライドスイッチ１６がインターレース側に切り替えられている状態において、ＣＰＵ３０は、リモートコントローラ３２の切り替えキー３３の操作に無関係に、インターレース変換回路２５から出力される映像信号を出力回路２８に導くように、切替回路２７を制御する。
【００３７】
すなわち、スライドスイッチ１６がインターレース側に切り替えられている状態では、リモートコントローラ３２の切り替えキー３３の操作に関わりなく、インターレース方式の映像信号が出力端子１４から出力されるようになる。
【００３８】
一方、スライドスイッチ１６がプログレッシブ側に切り替えられている状態において、ＣＰＵ３０は、リモートコントローラ３２の切り替えキー３３が操作される毎に、インターレース変換回路２５及びプログレッシブ変換回路２６から出力される各映像信号を、交互に出力回路２８に導くように、切替回路２７を制御する。
【００３９】
すなわち、スライドスイッチ１６がプログレッシブ側に切り替えられている状態では、リモートコントローラ３２の切り替えキー３３が操作される毎に、インターレース方式及びプログレッシブ方式の各映像信号が、交互に出力端子１４から出力されるようになる。
【００４０】
換言すれば、スライドスイッチ１６で設定した映像方式より下位の映像方式が存在する場合には、スライドスイッチ１６で設定した映像方式だけでなく、リモートコントローラ３２の操作により、その下位の映像方式をも選択することが可能になっている。逆に言えば、スライドスイッチ１６で設定した映像方式より下位の映像方式が存在しない場合には、リモートコントローラ３２の操作は無効にされるということである。
【００４１】
ここにおいて、下位の映像方式というのは、水平周波数の低い映像方式のことで、解像度の低い映像方式とも言える。解像度と水平周波数とは相関関係になっている。厳密には、垂直周波数の影響もあるが、テレビジョン信号の垂直周波数は約５０Ｈｚもしくは６０Ｈｚであり、その差は２０％ほどであるので、水平周波数が２０％を越えて離れていれば、水平周波数の高い方の映像方式から見て、水平周波数の低い方の映像方式は、十分に下位の映像方式と言える。
【００４２】
この実施の形態の場合、インターレース方式とプログレッシブ方式とでは、水平周波数は２倍の差があり、プログレッシブ方式に対してインターレース方式は十分に下位の映像方式と言える。
【００４３】
図４は、ＣＰＵ３０が行なう切替回路２７の制御動作をまとめたフローチャートを示している。まず、開始（ステップＳ１１）されると、ＣＰＵ３０は、ステップＳ１２で、スライドスイッチ１６がインターレース側及びプログレッシブ側のどちらに設定されているかを判別する。
【００４４】
そして、インターレース側に設定されていると判断された場合（Ｉ）、ＣＰＵ３０は、ステップＳ１３で、インターレース変換回路２５から出力されるインターレース方式の映像信号を出力するように切替回路２７を制御する。
【００４５】
すなわち、スライドスイッチ１６がインターレース側に設定されている場合、それより下位の映像方式はないので、リモートコントローラ３２の切り替えキー３３の操作を判断すること無く、インターレース方式の映像信号を出力するように切替回路２７を制御し、ステップＳ１４で、スライドスイッチ１６がプログレッシブ側に設定されるのを待つ。
【００４６】
そして、上記ステップＳ１２またはステップＳ１４で、スライドスイッチ１６がプログレッシブ側に設定されていると判断された場合（Ｐ）、ＣＰＵ３０は、ステップＳ１５で、プログレッシブ変換回路２６から出力されるプログレッシブ方式の映像信号を出力するように切替回路２７を制御する。
【００４７】
その後、ＣＰＵ３０は、ステップＳ１６で、リモートコントローラ３２の切り替えキー３３が操作されたか否かを判別し、操作されたと判断された場合（ＹＥＳ）、ステップＳ１７で、現在、プログレッシブ方式の映像信号を出力するように切替回路２７が切り替えられているか否かを判別する。
【００４８】
ここで、プログレッシブ方式であると判断された場合（ＹＥＳ）、ＣＰＵ３０は、ステップＳ１８で、インターレース変換回路２５から出力されるインターレース方式の映像信号を出力するように切替回路２７を制御し、プログレッシブ方式でないと判断された場合（ＮＯ）、ステップＳ１９で、プログレッシブ変換回路２６から出力されるプログレッシブ方式の映像信号を出力するように切替回路２７を制御する。
【００４９】
そして、ステップＳ１８，Ｓ１９の後、または、上記ステップＳ１６でリモートコントローラ３２の切り替えキー３３が操作されてないと判断された場合（ＮＯ）、ＣＰＵ３０は、ステップＳ２０で、スライドスイッチ１６がインターレース側及びプログレッシブ側のどちらに設定されているかを判別し、インターレース側である場合（Ｉ）、ステップＳ１３の処理に戻され、プログレッシブ側である場合（Ｐ）、ステップＳ１６の処理に戻される。
上記した実施の形態によれば、インターレース方式対応のテレビジョン受信機１８を接続する、一般のユーザに対しては、スライドスイッチ１６をインターレース側に設定しておけば、リモートコントローラ３２の切り替えキー３３の操作は無効にされるので、不所望にプログレッシブ出力に切り替わるという誤操作を防止することができる。
【００５０】
また、プログレッシブ方式対応のテレビジョン受信機１８を接続する、専門的な知識を持ったユーザに対しては、スライドスイッチ１６をプログレッシブ側に設定しておけば、リモートコントローラ３２の切り替えキー３３を操作するだけで、インターレース方式及びプログレッシブ方式の各映像信号を選択的に切り替えることができ、ユーザにとっての利便性を向上させることができる。
【００５１】
なお、上記した実施の形態では、インターレース方式の映像信号と、この映像信号をプログレッシブ方式に変換した映像信号との２種類の映像信号を切り替えることについて説明したが、将来的に、４８０Ｉ、４８０Ｐ、７２０Ｐ（数字は有効走査線数で、４８０Ｉは現行ＮＴＳＣ方式と同一、４８０Ｐはそのプログレッシブ変換信号、７２０Ｐは４８０Ｐをその１．５倍の走査線数に変換した信号）の３種類の映像信号に対応させることになった場合、スライドスイッチ１６は４８０Ｉ、４８０Ｐ、７２０Ｐの３ポジションの切り替えになる。
【００５２】
この場合、スライドスイッチ１６を４８０Ｐに設定すれば、その下位方式である４８０Ｉにリモートコントローラ３２で切り替え可能となり、７２０Ｐに設定すれば、その下位方式である４８０Ｉと４８０Ｐとにリモートコントローラ３２で切り替え可能となる。
【００５３】
また、ＣＰＵ３０は、ＤＶＤプレーヤ１１の電源スイッチが投入された時点においては、スライドスイッチ１６で設定されている映像方式を初期状態として選択するように切替回路２７を切り替えることができる。
【００５４】
さらに、ＣＰＵ３０は、スライドスイッチ１６が切り替えられた場合には、現在の切り替え状態に無関係に、スライドスイッチ１６で指定される映像方式を選択するように切替回路２７を切り替えることができる。
【００５５】
なお、この発明は上記した実施の形態に限定されるものではなく、この外その要旨を逸脱しない範囲で種々変形して実施することができる。
【００５６】
【発明の効果】
以上詳述したようにこの発明によれば、水平周波数の異なる複数種類の映像信号を共通の出力端子から選択的に出力させるための切り替え操作を行なう際に、誤操作が生じ難く、かつ、操作が煩雑にならないようにして、ユーザにとっての利便性を向上させるようにした極めて良好な映像再生装置及び映像再生方法を提供することができる。
【図面の簡単な説明】
【図１】この発明の実施の形態を示すもので、ＤＶＤプレーヤとテレビジョン受信機との接続状態を説明するために示す概略図。
【図２】同実施の形態におけるＤＶＤプレーヤの詳細を説明するために示すブロック構成図。
【図３】同実施の形態におけるＤＶＤプレーヤのリモートコントローラを説明するために示す外観図。
【図４】同実施の形態におけるＤＶＤプレーヤの切り替え動作を説明するために示すフローチャート。
【符号の説明】
１１…ＤＶＤプレーヤ、
１２…トレイ、
１３…ＤＶＤ、
１４…出力端子、
１５…背面パネル、
１６…スライドスイッチ、
１７…ケーブル、
１８…テレビジョン受信機、
１９…ディスクモータ、
２０…光学式ピックアップ、
２１…制御回路、
２２…メイン回路、
２３…データ分離回路、
２４…映像処理回路、
２５…インターレース変換回路、
２６…プログレッシブ変換回路、
２７…切替回路、
２８…出力回路、
２９…制御部、
３０…ＣＰＵ、
３１…受信部、
３２…リモートコントローラ、
３３…切り替えキー。
【図１】
0003556624.tif 000002
【図２】
0003556624.tif 000003
【図３】
0003556624.tif 000004
【図４】
0003556624.tif 000005